(57)【要約】【課題】  破損しにくいＣＯＦタイプのフレキシブル配線基板及びこの配線基板を用いた液晶表示装置を提供すること。【解決手段】  ＣＯＦタイプのフレキシブル配線基板１０は、所定長さの帯状の薄膜絶縁フィルム１１上に半導体素子２１を実装し、長手方向の両端にそれぞれ接続部２２、２３を形成する。前記フレキシブル配線基板１０の幅方向の両端部１９ａ、１９ｂは、前記一方の接続部２２から所定距離Ｌ離れた箇所から傾斜して縮幅され、さらに前記縮幅により形成された傾斜角部１９ａ０、１９ｂ０は、その角が落とされている。【選択図】      図１
2006049590.tif 000002
【特許請求の範囲】
【請求項１】
所定長さの帯状の薄膜絶縁フィルム上に半導体素子を実装し、長手方向の両端にそれぞれ接続部を形成したＣＯＦ（Ｃｈｉｐ  Ｏｎ  Ｆｉｌｍ）タイプのフレキシブル配線基板において、
前記フレキシブル配線基板の幅方向の両端部は、前記一方の接続部から所定距離離れた箇所から傾斜して縮幅され、さらに前記縮幅により形成された傾斜角部は、その角が落とされていることを特徴とするＣＯＦタイプのフレキシブル配線基板。
【請求項２】
前記傾斜角部は、アール加工又はテーパ加工によりその角が落とされていることを特徴とする請求項１に記載のＣＯＦタイプのフレキシブル配線基板。
【請求項３】
請求項１又は２に記載のＣＯＦタイプのフレキシブル配線基板を用い、前記フレキシブル配線基板の一方の接続部を液晶パネルに他方の接続部を外部制御基板にそれぞれ接続して内枠に収容されていることを特徴とする液晶表示装置。
【発明の詳細な説明】
【技術分野】
【０００１】
本発明は、ＣＯＦ（Ｃｈｉｐ  Ｏｎ  Ｆｉｌｍ）タイプのフレキシブル配線基板及びこの配線基板を用いた液晶表示装置に係り、さらに詳しくは、配線基板に亀裂等が発生しにくくなるよう構成したＣＯＦタイプのフレキシブル配線基板及びこの配線基板を用いた液晶表示装置に関する。
【背景技術】
【０００２】
液晶表示装置は、液晶パネルと外部制御基板がフレキシブル配線基板で接続されている。このフレキシブル配線基板には、ＴＣＰ（Ｔａｐｅ  Ｃａｒｒｉｅｒ  Ｐａｃｋａｇｅ）タイプ及びＣＯＦ（Ｃｈｉｐ  Ｏｎ  Ｆｉｌｍ）タイプのものがある。
【０００３】
このうちＣＯＦは、ＴＣＰと比べて、柔軟性があり、コストが安価である等の理由から、最近では、ＣＯＦが多く使用されるようになってきている。（特許文献１参照）。
【０００４】
図３は、下記特許文献１に記載されたＣＯＦタイプのフレキシブル配線基板を示している。
【０００５】
このフレキシブル配線基板１０Ａは、テープキャリア２０を用いて構成される。このテープキャリア２０は、自由に折り曲げることが可能な柔軟性の高い薄膜のポリイミド系絶縁テープ１１を基材とし、この絶縁テープの表面に所定の厚さの銅箔パターンが形成されている。銅箔パターンは、インナーリード１２及びアウターリード１３からなる配線パターン１４となっている。
【０００６】
配線パターン１４上には、搭載される半導体素子２１の対応する電極に電気的に接続される部分、つまりインナーリード１２の先端部１２ａと、外部の端子に接続されるアウターリード１３とを除いて、ソルダーレジスト１５が塗布され、これにより絶縁状態が確保されている。このソルダーレジスト１５は、絶縁テープ１１の半導体素子搭載領域１６に対応する箇所に開口１６ａを有し、この開口１６ａから、インナーリード１２先端の接続部１２ａを含む絶縁テープ１１部分が露出している。
【０００７】
このように構成されたテープキャリア２０は、その上に半導体素子２１が搭載され、これらの工程が終了した後に、図３の枠線Ｘに沿って、個々のフレキシブル配線基板が打ち抜かれる。
【特許文献１】特許第３５３６０２３号公報（図１、段落〔００２６〕〜〔００３２〕）
【発明の開示】
【発明が解決しようとする課題】
【０００８】
ところで、このようにして打ち抜かれたフレキシブル配線基板１０Ａは、テープ２０の両側縁に段部１７ａ、１７ｂが形成されている。しかし、薄膜フィルムは、その基材に柔軟性が高く薄肉のポリイミド系絶縁テープが使用されているので、この基材は、柔軟性が高いが、一方で機械的強度が弱く、容易に破断し易くなっている。
【０００９】
このようなフレキシブル配線基板は液晶表示装置に多く使用されている。図４は、液晶表示装置に装着されたフレキシブル配線基板を拡大した斜視図であり、この部分は、図２におけるＡ部に相当する部分である。
【００１０】
図４に示すように、フレキシブル配線基板１０Ａは、一端が液晶パネル、他端が外部制御基板に接続して使用される。しかし、液晶パネル及び外部制御基板は、何れもこのフレキシブル配線基板に比べて、格段に機械的強度が強いものとなっているので、液晶パネル及び外部制御基板の扱い方によっては、簡単に配線基板に亀裂が入り破断等してしまうことがある。
【００１１】
例えば、液晶表示装置の組み立て時に、液晶パネルをＬＣＤモジュールの内枠３２に組み込んだ後、このフレキシブル配線基板１０Ａは、一端を液晶パネル、他端を外部制御基板に接続したまま内枠３２の外周面に沿わせて、装置の背面に外部制御基板を配設することになるが、このとき、フレキシブル配線基板１０Ａの段部１７ａ、１７ｂが内枠３２等に引っ掛かり、亀裂１８ａ、１８ｂが入ってしまう。
【００１２】
しかも、この組み立て時には、フレキシブル配線基板１０Ａのどの部分が内枠３２と接触するかが分からない状態にあり、そのため、組み立て時において段部１７ａ、１７ｂが内枠３２の角部等に当たる確率が高くなっている。
【００１３】
また、組み立て後、位置の調整をする場合があるが、このときも、段部１７ａ、１７ｂに応力が加わり亀裂１８ａ、１８ｂが入ることがある。
【００１４】
本発明は、上述のような従来技術が抱える課題を解決するためになされたものであって、本発明の目的は、破損しにくいＣＯＦタイプのフレキシブル配線基板及びこの配線基板を用いた液晶表示装置を提供することにある。
【課題を解決するための手段】
【００１５】
上記目的を達成するために、請求項１に記載のＣＯＦタイプのフレキシブル配線基板は、所定長さの帯状の薄膜絶縁フィルム上に半導体素子を実装し、長手方向の両端にそれぞれ接続部を形成しており、
前記フレキシブル配線基板の幅方向の両端部は、前記一方の接続部から所定距離離れた箇所から傾斜して縮幅され、さらに前記縮幅により形成された傾斜角部は、その角が落とされていることを特徴とする。
【００１６】
請求項２の発明は、請求項１に記載のＣＯＦタイプのフレキシブル配線基板において、前記傾斜角部は、アール加工又はテーパ加工によりその角が落とされていることを特徴とする。
【００１７】
請求項３の発明は、請求項１又は２に記載のＣＯＦタイプのフレキシブル配線基板を用い、前記フレキシブル配線基板の一方の接続部を液晶パネルに他方の接続部を外部制御基板にそれぞれ接続して内枠に収容されていることを特徴とする。
【発明の効果】
【００１８】
請求項１のＣＯＦタイプのフレキシブル配線基板の発明によれば、ＣＯＦタイプのフレキシブル配線基板の両端部は、一方の接続部から所定距離離れた箇所から傾斜して縮幅され、これにより形成された傾斜角部がその角を落とされており、従来技術のように基板の両端部に段部が形成されず、特定箇所に応力が加わることがないので、亀裂等が発生しにくくなる。
【００１９】
請求項２の発明によれば、ＣＯＦタイプのフレキシブル配線基板の両端部における傾斜角部は、アール加工又はテーパ加工によりその角が落されているので、アール加工の場合には、円半径を大きくすることでより段部ができにくくなり、特定箇所への応力がより緩和されることで、亀裂等がさらに発生しにくくなる。
【００２０】
請求項３の液晶表示装置の発明によれば、請求項１又は請求項２に記載のＣＯＦタイプのフレキシブル配線基板は、液晶表示装置の外枠である額縁で一体に収容されても、フレキシブル配線基板に段部がないので、特定箇所で内枠等に引っ掛かることがなくなる。しかも、組み立て時に、フレキシブル配線基板が内枠の角部に当たっても、フレキシブル配線基板には段部がないためこの角部を滑り、特定箇所への引っ掛かりがなくなり、液晶パネル及び外部制御基板の接続部に悪影響を及ぼすこともなくなる。
【発明を実施するための最良の形態】
【００２１】
以下、図面を参照して本発明の最良の実施形態を説明する。以下、図面を参照して本発明の最良の実施形態を説明する。ただし、以下に示す実施形態は、本発明の技術的思想を具体化するためのＣＯＦタイプのフレキシブル配線基板及びこの配線基板を用いた液晶表示装置を例示するものであって、本発明をこのＣＯＦタイプのフレキシブル配線基板及びこの配線基板を用いた液晶表示装置に特定することを意図するものではなく、特許請求の範囲に含まれるその他の実施形態のものも等しく適応し得るものである。
【実施例】
【００２２】
図１は、本発明の１実施例に係るＣＯＦタイプのフレキシブル配線基板を示し、図１（ａ）は平面図、図１（ｂ）は図１（ａ）のＡ−Ａ線の側断面図である。
【００２３】
ＣＯＦタイプのフレキシブル配線基板は、従来技術のものとほぼ同じ構成を有している。そこで、共通する部分は従来技術の図３と同じ符号を付し、重複説明を避けて異なる構成を中心にして詳述する。
【００２４】
このＣＯＦタイプのフレキシブル配線基板１０は、図１に示すように、フレキシブル配線基板１０の幅方向の両端部１９ａ、１９ｂが、一方の接続部２２から所定距離Ｌ離れた箇所から傾斜して縮幅され、これにより形成された傾斜角部１９ａ０、１９ｂ０の角が落とされている構成が従来と異なる。しかしながら、このフレキシブル配線基板１０もテープキャリア２０を用いて作製され、その方法は前述の配線基板１０Ａの方法と同じである。
【００２５】
そして、このようにして作製されたテープキャリア２０は、その上に半導体素子２１が搭載され、これらの工程が終了した後に、傾斜角部１９ａ０、１９ｂ０の角が落とされるようにして、個々のフレキシブル配線基板１０が打ち抜かれる。
【００２６】
この構成によれば、ＣＯＦタイプのフレキシブル配線基板１０の両端部は、一方の接続部２２から所定距離Ｌ離れた箇所から傾斜して縮幅され、これにより形成された傾斜角部１９ａ０、１９ｂ０の角が落とされているので、従来技術のように基板の両端部１９ａ、１９ｂに段部が形成されず、特定箇所に応力が加わることがないので、亀裂等が発生しにくくなる。
【００２７】
さらに、傾斜角部１９ａ０、１９ｂ０は、図１に示すように、アール加工によりその角が落されている。
【００２８】
この構成によれば、アール加工における円半径を大きくすることでより段部ができにくくなり、特定箇所への応力集中がより緩和されることで、亀裂等がさらに発生しにくくなる。もっとも、傾斜角部１９ａ０、１９ｂ０の角を落す加工はアール加工に限られず、テーパ加工によるもの等段部をなくすあらゆる加工を含む。
【００２９】
図２は、このフレキシブル配線基板１０を液晶表示装置に装着した状態を示し、図２（ａ）は斜視図、図２（ｂ）は図２（ａ）のＡ部分の拡大図である。
【００３０】
液晶表示装置３０は、液晶パネル３１と、この液晶パネル３１を収容する内枠３２と、この内枠３２の背面に配設される外部制御基板（図示省略）と、これらを一体に成形する額縁（図示省略）とを備えている。
【００３１】
フレキシブル配線基板１０は、一端の接続部２２が液晶パネル３１に接続され、他端の接続部２３が外部制御基板に接続される。
【００３２】
組み立て時には、液晶パネル３１は内枠３２に収容される。次いで、液晶パネル３１に接続されたフレキシブル配線基板１０は、内枠３２の外面に当接して屈曲させ、他端に接続された外部制御基板が内枠３２の背面に配設される。
【００３３】
このフレキシブル配線基板１０は、段部がないので、液晶表示装置３０として額縁により一体に収容されても特定箇所で内枠３２等に引っ掛かることがなくなる。しかも、組み立て時に、フレキシブル配線基板１０が内枠３２の角部に当たっても、この角部を滑ることで特定の箇所の引っ掛かりがなくなり、液晶パネル３１及び外部制御基板のそれぞれの接続部に悪影響を及ぼすこともなくなる。
【図面の簡単な説明】
【００３４】
【図１】本発明の１実施例に係るＣＯＦタイプのフレキシブル配線基板を示し、図１（ａ）は平面図、図１（ｂ）は図１（ａ）のＡ−Ａ側断面図、
【図２】図１のフレキシブル配線基板を液晶表示装置に装着した状態を示し、図２（ａ）は斜視図、図２（ｂ）は図２（ａ）のＡ部分の拡大図、
【図３】従来技術のＣＯＦタイプのフレキシブル配線基板を示す平面図、
【図４】図３のフレキシブル配線基板を液晶表示装置に装着した状態を示す斜視図、である。
【符号の説明】
【００３５】
１０、１０Ａ    ・・・ＣＯＦタイプのフレキシブル配線基板
１１            ・・・絶縁フィルム（テープ）
１９ａ、１９ｂ  ・・・両端部
１９ａ０、１９ｂ０・・・傾斜角部
２１            ・・・半導体素子
２２、２３      ・・・接続部
３２            ・・・内枠
【図１】
2006049590.tif 000003
【図２】
2006049590.tif 000004
【図３】
2006049590.tif 000005
【図４】
2006049590.tif 000006